(57)【要約】 【課題】筐体からの力を如実に反映しても、吸収し過ぎても、使いにくくなる点、使用時における転写部の傾動や揺動を規制し過ぎると片当たりが発生する点、を解消する。【解決手段】筐体２の転写部３を露出する部位に開口部２ａを形成し、一方、転写部３に、先端部３ａの搬送経路幅方向両側に対向状に設けた壁面３ｂと直交すると共に開口部２ａに嵌合した嵌合部３ｃ、及び先端部３ａから延びて筐体２内の支持部２ｂと接続すると共に弾性変形可能な接続部３ｄを設けることとした。【効果】接続部が柔軟に弾性変形するから片当たりは解消される。そして、開口部と嵌合部との嵌合により接続部による過度な弾性変形を規制する。したがって、転写ヘッドに力が伝達されにくく、使いにくいといった問題が生じることなく、片当たりを確実に防止すると共に、筐体からの力を適度に反映して直線的にも曲線的にも転写媒体を安定的に転写することができる。【選択図】  図１
2008254915.tif 000002
【特許請求の範囲】
【請求項１】
筐体に、転写媒体が塗布された基材を巻装した送出軸と、被転写体へ転写した後の基材を巻き取る巻取軸と、送出軸と巻取軸との間の基材搬送経路上に該筐体から一部を露出させて設けた転写部と、を備えた転写具において、前記筐体の前記転写部を露出する部位に開口部を形成し、一方、前記転写部に、前記筐体から露出した先端部の基材搬送経路幅方向両側に対向状に設けた壁面と直交すると共に前記開口部に嵌合し、傾動及び揺動した際に該開口部に当接しつつ案内されて移動する嵌合部、及び該先端部から延びて該筐体側に設けた枢支部により支持される支持部と接続すると共に弾性変形可能な接続部、を設けたことを特徴とする転写具。
【請求項２】
接続部を板状とし、この該接続部の幅方向中央でかつ先端部から支持部へ向かう方向にリブを形成したことを特徴とする請求項１記載の転写具。
【請求項３】
筐体の開口部を形成した部位を、基材の巻き取り側から送り出し側に下り勾配の傾斜を設け、これに伴って転写部の嵌合部も傾斜させたことを特徴とする請求項１又は２記載の転写具。
【請求項４】
嵌合部の転写部の先端側に、該嵌合部が開口部へ潜り込むことを防止する規制部材を設けたことを特徴とする請求項１〜３のいずれかに記載の転写具。
【請求項５】
接続部が支持部に軸回転可能に支持されることを特徴とする請求項１〜４のいずれかに記載の転写具。
【請求項６】
支持部の内周と前記枢支部の外周との間に弾性体を設けたことを特徴とする請求項１〜４のいずれかに記載の転写具。
【発明の詳細な説明】
【技術分野】
【０００１】
本発明は、転写ヘッドに力が伝達されにくく、使いにくいといった問題が生じることなく、片当たりを確実に防止すると共に、筐体からの力を適度に反映して直線的にも曲線的にも転写媒体を安定的に転写することができる転写具に関する。
【背景技術】
【０００２】
基材に塗布された転写媒体を巻装した送出軸と、送出軸から送り出され、被転写媒体上に転写媒体を転写した後の基材を巻き取る巻取軸と、送出軸と巻取軸との間の基材の搬送経路上に設けた転写部とを筐体に有した転写具が知られている。
【０００３】
転写具は、筐体を手に持って、被転写体に対して、転写部の幅方向の左右均等に力がかかるようにして正しく使用すれば、該転写部の全面が被転写体に接触するから、転写媒体の幅方向全域が均一的に被転写体に転写されることになる。
【０００４】
ところが、例えば被転写体上で曲線状に転写媒体を転写した場合、直線状であっても力のかけ具合が左右均等ではない場合、においては、被転写体から転写部の一部が浮き上がって（この現象を以下、片当たりという）、転写媒体の幅方向の一部が被転写体に転写されないことがある。
【０００５】
片当たりが生じると、例えば被転写体においては、転写媒体が密着して転写されずに不完全な転写となったり、予定している幅に転写媒体が転写されないことになり、一方、例えば転写具においては、転写媒体が基材に残留して次回の使用開始箇所で正しく転写ができなくなる可能性がある。
【０００６】
上記した片当たりを解消する構成を有した転写具について、以下の特許文献１〜６が存在する。
【０００７】
【特許文献１】実開平７−１３８６０号公報
【特許文献２】特開平８−１７５０９５号公報
【特許文献３】特開平１１−１７０７７０号公報
【特許文献４】特開２００３−２５２２号公報
【特許文献５】特開２００６−２８１４９５公報
【特許文献６】特開平１０−１３８６９３号公報
【０００８】
特許文献１には、転写部の先端部から一体的に形成された軸が筐体内で回動自在に枢支され、片当たりが発生する使用状態のときには、転写部が軸を中心に回動（−９０°〜９０°の範囲）する構成が記載されている。
【０００９】
特許文献２には、転写部が、先端部（圧着ブレード）における転写テープの幅方向と直角にかつ幅方向の中点を中心に応力が働いた時に回転し、応力が働かなくなった時に弾性力により復元するように装着される構成が示されている。
【００１０】
特許文献３には、転写部において筐体側に支持される両側面部に突起が形成され、筐体には転写部の突起の部分が挿入される区切室が形成されると共にこの区切室の両側面部に該突起が係合するスロットが形成され、区切室に弾性体（コイルばね）を挿入して転写部を先端方向に付勢する構成が示されている。
【００１１】
特許文献４には、転写部のヘッド本体の両側面に取付孔が形成され、筐体のヘッド本体取付部位において該取付孔に嵌合する嵌合部材が形成された構成が示されている。
【００１２】
特許文献５は、転写ヘッドのヘッド圧着部を筐体に支持する軸部が、上側に移動しようとするときに、該軸部に当接してその移動を規制する規制部材を備えた構成が示されている。
【００１３】
特許文献６は、転写部の転写体に押し当てられる舌片部の基材幅方向両側面に対向状に設けた案内板に、転写部が突出される開口部周縁と当接して該転写部の上下左右方向の屈撓を一定範囲内に制限する係止板を成形する構成が示されている。
【発明の開示】
【発明が解決しようとする課題】
【００１４】
ところで、片当たりは使用者の力のかけ具合が左右均等ではない場合に発生する現象であるが、転写具は手から筐体を介して転写部に力を上手くかけなければ意図するように転写媒体を転写することができないものである。
【００１５】
上記を踏まえて、特許文献１〜６には、次の問題があった。まず、特許文献１，４は、筐体からの力が直接的に転写部へ伝達されるから、僅かな左右不均等な力までも如実に伝達し、この力に応じて転写部が傾き、かつ傾いたままとなって、被転写体上に蛇行状に転写媒体を転写するといった現象が生じて、非常に使いにくいといった問題があった。
【００１６】
特許文献２は、筐体からの力を吸収するが、この時の応力による弾性変形量が問題となる。すなわち、特許文献２の場合、転写部周辺に、弾性変形による該転写部の移動を規制する構成が存在しないので、転写部が特に上下（垂直）方向に自由にヘッドが移動し、この結果、転写部に力が伝達されにくく、使いにくいといった問題があった。
【００１７】
特許文献３の場合、スロット内であれば突起（転写部）が自由に移動できるものの、該突起がスロット内から外れないように存在させておく必要があるから、自ずと突起の、特に左右方向の移動には著しく制限がかかっていることとなり、曲線状に転写させる際に自由度が小さいといった問題があった。
【００１８】
特許文献５は、特許文献２，３の課題である大きな力をかけた場合に部材が破損する点は解消できるとしても、使用時における転写部の傾動や揺動を規制しすぎて力をほとんど吸収せず、結果的に、片当たりが発生する可能性があるといった問題があった。
【００１９】
特許文献６は、開口部と係止板の当接による規制が厳しく、特に上下方向と左右方向の移動の規制分担がはっきりと分けられているから、例えば転写部の軸回転移動、ねじれ（上下方向と左右方向の合わさった斜め方向）移動には、転写部全体の移動がほとんど行われないといった問題がある。
【００２０】
要するに、本発明が解決しようとする問題点は、転写部に力が伝達されにくく、使いにくいといった問題が生じることなく、転写具において片当たりを防止する構成に際し、次の点を解消することにある。すなわち、特許文献１，４では、筐体からの力が如実に反映されて直線状に転写媒体を転写するには使いにくい点。特許文献２では、弾性変形による転写部の移動を規制する構成が存在しないので、転写部に力が伝達されにくいために使いにくい点。特許文献３では、突起をスロット内から外れないように存在させておく必要性により、転写部の特に左右方向の移動には著しく制限がかかっていることとなり、曲線状に転写させる際に自由度が小さい点。
【００２１】
特許文献５では、使用時における転写部の傾動や揺動を規制し過ぎて左右不均等な力を吸収せずに片当たりが発生する可能性がある点。特許文献６では、開口部と係止板の当接による、上下方向と左右方向の移動の規制分担がはっきりと分けられているから、転写部の軸回転移動、ねじれ移動がほとんど行われず、使いにくい点。
【課題を解決するための手段】
【００２２】
上記問題を解決するため、本発明は、筐体の転写部を露出する部位に傾動及び揺動を所定範囲で許容する開口部を形成し、一方、転写部に、筐体から露出した先端部の基材搬送経路幅方向両側に対向状に設けた壁面と直交すると共に開口部に嵌合し、傾動及び揺動した際に該開口部の周面に当接しつつ案内されて移動する嵌合部、及び該先端部から延びて該筐体側に設けた枢支部により支持される支持部と接続すると共に弾性変形可能な接続部、を設けることとした。
【発明の効果】
【００２３】
本発明に係る転写具は次の作用効果を得ることができる。接続部は、片当たりが生じるような力が筐体にかかった場合に、弾性変形してこの力を吸収する。接続部の弾性変形は、転写媒体を被転写体に転写する（以下、走行という）方向に対して水平方向の左右不均等にかかる力だけでなく、被転写体に対して垂直方向の力、さらには水平方向と垂直方向の合成されたねじれ方向の力、並びに接続部の軸回転の力をも吸収する。
【００２４】
上記のように、接続部は極めて柔軟に弾性変形するが、この弾性変形は、転写部側に形成した嵌合部が、筐体側に形成した開口部に嵌合する構成とすることで規制される。転写具の特性上、変動する側は開口部（筐体側）であり、該開口部が嵌合部に当接するか否かで前記規制の作用が以下のように異なる。
【００２５】
開口部が嵌合部に当接しない場合は、片当たりが生じる以下の力で使用されている状態であり、上記規制が働かず、接続部の弾性変形のみが働くこととなる。これにより、例えば、使用者の水平方向にばらついた力のかけ具合を接続部が吸収し、安定した走行が可能となる。
【００２６】
一方、開口部が嵌合部に当接する場合は、比較的大きい力で使用されている状態であり、上記規制が働き、上下（垂直）方向には接続部のそれ以上の弾性変形を許容しない。これにより、使用者が上下（垂直）方向にかけた力が伝達されにくく、使いにくいといった問題が生じない。
【００２７】
また、開口部が嵌合部に当接する場合であって、例えば筐体が転写部に相対して（筐体から見れば転写部が）ねじれ方向へ移動したり、軸回転移動した場合には、嵌合部が、開口部に当接しつつかつ該開口部に沿って移動する。
【００２８】
つまり、嵌合部と開口部の上記嵌合は、転写部の、単なる上下（垂直方向）の各々の移動を規制するだけでなく、ねじれ方向の移動、軸回転移動の際には、水平方向の移動を垂直方向に逃がし、垂直方向の移動を水平方向に逃がすこととなる。これにより、適度な弾性変形を伴いつつ、転写部の移動に応じてこれを阻害することなく適切な規制が行える。
【００２９】
したがって、本発明の転写具は、使用者の垂直方向にかけた力が転写部に伝わりにくいという問題が生じることなく、片当たりが当然に防止され、そのうえ、筐体からの力が適度に反映されて直線状に走行させやすいと共に、不適当な力に起因する筐体の傾動や揺動に対しては適度に規制して曲線状に走行させやすいことである。
【発明を実施するための最良の形態】
【００３０】
本発明は、図１〜図１０に示す以下の第１〜第６形態により実施可能である。図１及び図２は第１形態を、図３及び図４は第２形態を、図５及び図６は第３形態を、図７及び図８は第４形態を、図９は第５形態を、図１０は第６形態を、各々示す。
【００３１】
まず、本発明の転写具の第１〜第６形態で共通する構成について、第１形態において図１及び図２を参照して説明する。以下の説明において、本発明の要部構成ではない構成は、参照符号や図示を省略している。以降、各形態においては、特徴となる構成についてのみ説明することとし、また、第２形態以降は第１形態と相違する構成についてのみ説明することとする。
【００３２】
（第１形態）
転写具１は、筐体２に、転写媒体が塗布された基材を巻装した送出軸と、被転写体へ転写した後の基材を巻き取る巻取軸と、送出軸と巻取軸との間の基材搬送経路上に該筐体２から一部を露出させて設けられた転写部３とを備えている。
【００３３】
筐体２は、転写部３を露出する先端部位の面に略円形とされた開口部２ａが形成されている。筐体２の先端部位の面は、第１形態では先端部３ａの基材搬送面と直交するように形成されている。また、開口部２ａは、前記筐体２の先端部位の面の例えば中央に形成されている。
【００３４】
転写部３は、次の構成とされる。筐体２の開口部２ａからは、本形態では、例えば、表裏面により基材を搬送すると共に先端により転写媒体を被転写体に転写するための先端部３ａが突出状に露出している。
【００３５】
この先端部３ａにおける基材の搬送面の幅方向両側には、基材の該先端部３ａからの脱線を防止するために、先端を頂点としてこれを中心に後方へ向けて基材の搬送表裏面のそれぞれに弦の大きくなる側面視略三角の壁面３ｂ，３ｂが設けられている。
【００３６】
壁面３ｂ，３ｂの筐体２側には、該壁面３ｂ，３ｂの外面方向に直交した、正面視略円弧状の嵌合部３ｃが形成されている。この嵌合部３ｃは、筐体２の開口部２ａに嵌まっており、側端面と開口部２ａの周面との間には、転写部３の傾動及び揺動を所定範囲に許容する隙間Ｐが形成されている。
【００３７】
また、先端部３ａの筐体２側の端部には、この端部から開口部２ａを介して該筐体２内へと延びた本形態では例えば板状の接続部３ｄが設けられている。この接続部３ｄは、本形態では例えば先端部３ａより幅が小さくされ、弾性変形可能とされている。なお、接続部３ｄにおける弾性変形可能な範囲をドット状のハッチングで示している。
【００３８】
もちろん、接続部３ｄは弾性変形可能であれば上記構成でなくとも、例えば断面円形でもよいし、材料種、硬度（弾性度）を変更したものであっても構わないが、本形態のように接続部３ａとは幅を異ならせる構成とすれば、先端部３ａ、壁面３ｂ、嵌合部３ｃなどと共に一体成型できるというメリットがある。
【００３９】
前記接続部３ｄの筐体２側の端部には、該接続部３ｄの延びた方向と直交した支持部３ｅが設けられている。この支持部３ｅは、本形態では、例えば円筒状とされ、その内周に、筐体２の両内側面から突出した枢支部２ｂが挿入される。そして、接続部３ｄは、支持部３ｅの外周面に接続している。
【００４０】
上記構成の第１形態の転写具１は、次のように作用する。まず、片当たりは生じないが走行方向左右のばらついた力や片当たりが生じるような走行方向左右の不均等な力に対しては、接続部３ｄが弾性変形することによりこうした力を吸収し、筐体２から先端部３ａに不要な力を伝達しない。なお、このような場合は、開口部２ａと嵌合部３ｃとは当接しない。
【００４１】
したがって、例えば直線状に走行させる際には、使用者が不慣れで上手く幅方向左右に均等な力をかけることができなくても、無駄な力が先端部３ａに伝達されないから、上手く直線状に走行させることができる。
【００４２】
一方、比較的大きな力に対しては、開口部２ａと嵌合部３ｃとが当接してそれ以上の上下（垂直）方向の接続部３ｄの弾性変形を規制する。なお、開口部２ａと嵌合部３ｃとが当接すると、筐体２からの力を先端部３ａに伝達されるから、転写部に力が伝達されにくく、使いにくいといった問題は発生しない。
【００４３】
さらに、転写部３に、ねじれ方向や軸回転の力がかかり、そのように移動する場合は、嵌合部３ｃが開口部２ａに当接しつつ、該開口部２ａに沿って移動する。この移動により、転写部３の、水平方向の移動が垂直方向に逃がされ、垂直方向の移動が水平方向に逃がされることとなる。この作用により、使用者の力のかけ具合に応じた自由な転写部３の移動とこの移動に応じた適切な規制が行える。
【００４４】
つまり、本発明の転写具１は、接続部３ｄが単に自由に弾性変形するのみの構成でも、また、開口部２ａと嵌合部３ｃとの当接により単に転写部３の移動を厳しく規制するのみの構成でもなく、開口部２ａと嵌合部３ｃとの間には隙間Ｐを有し、開口部２ａと嵌合部３ｃとが当接するまでは接続部３ｄが自由に弾性変形し、当接後であって複雑な方向へ力がかかっている場合には適切に対応するよう嵌合部３ｃが開口部２ａに沿って移動する構成であるから、使用において互いの作用を妨げることがなく、片当たりが解消され、かつ使用感も向上する。
【００４５】
（第２形態）
図３及び図４に示す第２形態は、接続部３ｄの幅方向中央でかつ先端部３ａから支持部３ｅへ向かう方向にリブ３ｆを形成した点が、上記第１形態と異なり、他の構成は同様である。
【００４６】
第２形態の場合、第１形態の接続部３ｄよりはリブ３ｆを設けることで強度が高くなるから、その分だけ弾性変形（弾性復元）力を考慮する。リブ３ｆは、図３に示すように、接続部３ｄを板状とした場合には、図３（ｃ）に示すように例えばその表裏面の幅方向中央に断面円弧状のリブ３ｆを形成すればよい。
【００４７】
なお、図３に示す以外にも、例えば図４（ａ）に示すように、図３のリブ３ｆを表面側（又は裏面側）の一方面に設けたり、図４（ｂ）に示すように断面三角状、図４（ｃ）に示すように断面四角状、としてもよい。
【００４８】
このようにすることで、接続部３ｄは転写具１の使用に際しては十分なねじれ方向の弾性変形（及び弾性復元）を許容しつつ、そのうえ、走行方向の上下の強度を向上させることができ、前記開口部２ａと嵌合部３ｃの隙間Ｐが大きい場合であっても確実に該接続部３ｄの強度を確保することができる。
【００４９】
（第３形態）
図５及び図６に示す第３形態は、筐体２の開口部２ａを形成した部位を、基材の巻き取り側から送り出し側、つまり転写部３の先端部３ａの上面から下面、に向けて下り勾配の傾斜部２ｃを設けた構成としている点が第１形態と異なる。また、第３形態は、前記傾斜部２ｃを設けることで同様に傾斜する開口部２ａに嵌るよう、転写部３の嵌合部３ｃの面を傾斜させ、壁面３ｂの側面視形状も変形させている。それ以外の構成は第１形態と同様である。
【００５０】
例えば傾斜部２ｃは、図５（ｂ）に示すように、最大角度（第１形態の状態）８５°〜３０°（好ましくは７５°〜４０°）に傾斜させることが望ましい。この理由は、８５°より大きいければ傾斜部２ｃが転写部位を隠すこととなって使用しにくく、一方、３０°より小さいと、転写部３の先端位置と筐体２における使用者が保持する位置が離れてしまい、力をかけにくくなる可能性がある。
【００５１】
第３形態のように構成することで、例えば、好ましい使用状態、つまり被転写体の転写面と傾斜部２ｃとの角度を９０°近くにして使用した場合には、嵌合部３ｃが開口部２ａに当接しつつ、案内されて移動しやすくなり、片当たりの防止効果と、安定的に曲線状に転写しやすいという効果が向上する。
【００５２】
（第４形態）
図７及び図８に示す第４形態の転写具１は、嵌合部３ｃにおける先端部３ａ側に、該嵌合部３ｃが開口部２ａへ潜り込むことを防止する規制部材３ｇを設けた構成であり、それ以外の構成は第１形態と同様である。
【００５３】
規制部材３ｇは、嵌合部３ｃより、また、開口部２ａより大きい面積とされている。そして、図７及び図８では、嵌合部３ｃと連続的に厚み方向では段状に形成しているが、これに限らず、開口部２ａと嵌合部３ｃとの隙間Ｐの寸法を考慮して、また、嵌合部３ｃの開口部２ａへの潜り込み量（接続部３ｄの弾性変形量）を考慮して、嵌合部３ｃとは離して形成してもよい。
【００５４】
この規制部材３ｇを設けることにより、嵌合部３ｃが開口部２ａに当接した状態から無理に該開口部２ａ内に潜り込むことが防止され、無理なねじれを抑制して、使用時の接続部３ｄの破損を予防することができる。
【００５５】
（第５形態）
図９に示す第５形態の転写具１は、接続部３ｄが支持部３ｅと直交状で軸回転可能に支持された構成であり、その他の構成は第１実施例と同様である。第５形態の支持部３ｅは、例えば側面視コ字状とされたガイド３ｅａと、このガイド３ｅａの基材の幅方向中央位置に形成された孔（図示及び参照番号無）とからなる。
【００５６】
一方、接続部３ｄは、その後端部に、接続部３ｄが±３〜±１０°で回転する例えば図９（ｂ）では断面六角形で示される回転体３ｄａと、この回転体３ｄａの後端に設けられ、上記ガイド３ｅａに形成された孔と連通する枢支孔３ｄｂと、この枢支孔３ｄｂに向けてガイド３ｅａの後方から挿入されるピン３ｅｂとからなる。
【００５７】
接続部３ｄは、回転体３ｄａの角度が、±３°より小さいと、傾きを補助する効果が小さく、±１０°より大きいと、上記した特許文献１，４のような問題が生じる可能性がある。
【００５８】
このように、ピン３ｅｂはガイド３ｅａと係合しているから該ピン３ｅｂが枢支孔３ｄｂから抜けることがなく、また、回転体３ｄａは接続部３ｄにその角によって所定角度で適宜回転するから、接続部３ｅの破損を防止しつつ、転写部３の傾きを補助することができる。
【００５９】
（第６形態）
図１０に示す第６形態は、接続部３ｄを、支持部３ｅを軸状とし、該支持部３ｅの内周と、筐体２側に設けた枢支部２ｂの外周との間に弾性体Ｇを設ける構成であり、その他の構成は第１形態と同様である。
【００６０】
弾性体Ｇは、例えば、ゴムチューブであってもよく、この場合は枢支部２ｂに該ゴムチューブを挿嵌したうえで支持部３ｅを枢支する。また、弾性体Ｇは、それゴムチューブ以外に、樹脂チューブでもよいし、チューブを枢支部２ｂに挿嵌しなくても塗布するようにしてもよい。
【００６１】
このようにすることで、過度な力によって接続部３ｄ及び支持部３ｅが破損することを防止することができると共に、弾性体Ｇの弾性変形により、使用時の転写部３の傾動や揺動及びねじれを確実に補助することができる。
【００６２】
なお、上記した形態及び図示では転写部３が舌状（ブレード状）のものを示したが、これに限らず、例えばローラ状のものであっても、当然に上記同様の作用効果を得ることができる。
【図面の簡単な説明】
【００６３】
【図１】本発明の第１形態の転写具であり、（ａ）は転写部を中心とした斜視図、（ｂ）は（ａ）の分解斜視図、（ｃ）は（ａ）のＡ矢視図、である。
【図２】本発明の第１形態の転写具の転写部を示し、（ａ）は前方から見た斜視図、（ｂ）は後方から見た斜視図、である。
【図３】本発明の第２形態の転写具であり、（ａ）は転写部のみを示す斜視図、（ｂ）は転写部の側面図、（ｃ）は（ｂ）のＢ−Ｂ線断面図、である。
【図４】（ａ）〜（ｃ）は、本発明の第２形態における転写部の他の構成を示す図である。
【図５】本発明の第３形態の転写具であり、（ａ）は転写部を中心とした斜視図、（ｂ）は（ａ）のＣ−Ｃ線断面図、である。
【図６】本発明の第３形態の転写具の転写部を示し、（ａ）は前方から見た斜視図、（ｂ）は後方から見た斜視図、である。
【図７】本発明の第４形態の転写具であり、（ａ）は転写部を中心とした斜視図、（ｂ）は（ａ）の分解斜視図、（ｃ）は（ａ）のＤ矢視図、である。
【図８】本発明の第４形態の転写具の転写部を示し、（ａ）は前方から見た斜視図、（ｂ）は後方から見た斜視図、である。
【図９】本発明の第５形態の転写具を示し、（ａ）は転写部を中心とした斜視図、（ｂ）は接続部と支持部との関係を示す図、である。
【図１０】本発明の第６形態の転写具を示す部分断面斜視図である。
【符号の説明】
【００６４】
１  転写具
２  筐体
２ａ  開口部
２ｂ  枢支部
２ｃ  傾斜部
３  転写部
３ｃ  嵌合部
３ｄ  接続部
３ｄａ  回転体
３ｅ  支持部
３ｆ  リブ
３ｇ  規制部材
Ｇ  弾性体
Ｐ  隙間
【図１】
2008254915.tif 000003
【図２】
2008254915.tif 000004
【図３】
2008254915.tif 000005
【図４】
2008254915.tif 000006
【図５】
2008254915.tif 000007
【図６】
2008254915.tif 000008
【図７】
2008254915.tif 000009
【図８】
2008254915.tif 000010
【図９】
2008254915.tif 000011
【図１０】
2008254915.tif 000012